(57)【要約】      （修正有）【課題】カッタコードが回転する際のエネルギー消費を低減し、騒音を抑制することが可能な技術を提供する。【解決手段】コードホルダ１８は、カッタコード２２，２３が巻回されたスプール５２と、前記スプールを収容するケース６０，６２を備えていてもよい。前記カッタコードは、ナイロン系の樹脂からなってもよく、扁平な断面形状を有していてもよい。前記カッタコードは、前記カッタコードの断面の長手方向が前記スプールの回転軸と略平行となるように、前記スプールに巻回されていてもよい。前記ケースは、前記スプールから引き出された前記カッタコードを前記ケースの外部へ送り出すアイレット５４，５５を備えていてもよい。前記カッタコードは、前記カッタコードの前記断面の前記長手方向が前記スプールの前記回転軸に対して捩れた角度となるように、前記アイレットから送り出されてもよい。【選択図】図２
2020150902.tif 000002
【特許請求の範囲】
【請求項１】
コードホルダであって、
カッタコードが巻回されたスプールと、
前記スプールを収容するケースを備えており、
前記カッタコードが、ナイロン系の樹脂からなり、扁平な断面形状を有しており、
前記カッタコードが、前記カッタコードの断面の長手方向が前記スプールの回転軸と略平行となるように、前記スプールに巻回されており、
前記ケースが、前記スプールから引き出された前記カッタコードを前記ケースの外部へ送り出すアイレットを備えており、
前記カッタコードが、前記カッタコードの前記断面の前記長手方向が前記スプールの前記回転軸に対して捩れた角度となるように、前記アイレットから送り出される、コードホルダ。
【請求項２】
前記カッタコードが、前記スプールに対して、すでに巻回されている前記カッタコードの上に、新たに巻回される前記カッタコードが重なるように、一列に重ねて巻回されている、請求項１のコードホルダ。
【請求項３】
前記ケースが、第１ケースと、第２ケースを備えており、
前記第１ケースが、切り欠きを有しており、
前記第２ケースが、突起を有しており、
前記アイレットの形状が、前記切り欠きと前記突起によって規定されている、請求項１または２のコードホルダ。
【請求項４】
前記突起の高さが調整可能である、請求項３のコードホルダ。
【請求項５】
前記第１ケースが、前記第１ケースに対して着脱可能であって、前記切り欠きが形成されたガイド部材を有する、請求項３または４のコードホルダ。
【請求項６】
前記切り欠きが、
前記カッタコードを、前記カッタコードの前記断面の前記長手方向が前記スプールの前記回転軸に対して捩れた角度で配置可能な拡幅部と、
前記第１ケースの縁部と前記拡幅部の間に配置されており、前記カッタコードを、前記カッタコードの前記断面の前記長手方向が前記スプールの前記回転軸に対して捩れた角度で配置不能な狭幅部を備えている、請求項３から５の何れか一項のコードホルダ。
【請求項７】
前記カッタコードの前記断面の、短手方向の寸法に対する前記長手方向の寸法の比率が、１．２以上である、請求項１から６の何れか一項のコードホルダ。
【請求項８】
前記アイレットが、前記カッタコードの前記断面の前記長手方向が前記スプールの前記回転軸に対して略平行となるように、前記スプールから引き出された前記カッタコードを保持するコード保持部を備える、請求項１から７の何れか一項のコードホルダ。
【請求項９】
コードホルダと、
前記コードホルダを回転させる原動機を備える作業機であって、
前記コードホルダが、
カッタコードが巻回されたスプールと、
前記スプールを収容するケースを備えており、
前記カッタコードが、ナイロン系の樹脂からなり、扁平な断面形状を有しており、
前記カッタコードが、前記カッタコードの断面の長手方向が前記スプールの回転軸と略平行となるように、前記スプールに巻回されており、
前記ケースが、前記スプールから引き出された前記カッタコードを前記ケースの外部へ送り出すアイレットを備えており、
前記カッタコードが、前記カッタコードの前記断面の前記長手方向が前記スプールの前記回転軸に対して捩れた角度となるように、前記アイレットから送り出される、作業機。
【請求項１０】
前記原動機がモータである、請求項９の作業機。
【請求項１１】
前記作業機に着脱可能であり、前記モータに電力を供給するバッテリパックをさらに備える、請求項１０の作業機。
【発明の詳細な説明】
【技術分野】
【０００１】
本明細書によって開示される技術は、コードホルダおよび作業機に関する。
【背景技術】
【０００２】
特許文献１には、カッタコードが開示されている。前記カッタコードは、ナイロン系の樹脂からなり、扁平な断面形状を有している。このように扁平な断面形状を有するカッタコードによれば、カッタコードが回転する際の空気抵抗を低減することができ、カッタコードを回転させるために消費するエネルギーを低減することができる。また、カッタコードが回転する際の風切り音が小さくなるので、騒音を抑制することができる。
【先行技術文献】
【特許文献】
【０００３】
【特許文献１】特表２００６−５０６９６３号公報
【発明の概要】
【発明が解決しようとする課題】
【０００４】
カッタコードをスプールに巻回しておいて、必要な長さのカッタコードをスプールから引き出した状態で使用することがある。この場合、特許文献１のように、扁平な断面形状を有するカッタコードについては、カッタコードの断面の長手方向がスプールの回転軸と略平行となるように、スプールに巻回する必要がある。しかしながら、スプールから引き出されたカッタコードについては、カッタコードの断面の長手方向がカッタコードの回転方向と合うように、すなわちスプールの回転軸に対して捩れた角度となるように、カッタコードを保持しないと、カッタコードが回転する際の空気抵抗が増大して、エネルギー消費の増加や騒音の増大を招いてしまう。本明細書では、カッタコードが回転する際のエネルギー消費を低減し、騒音を抑制することが可能な技術を提供する。
【課題を解決するための手段】
【０００５】
本明細書はコードホルダを開示する。前記コードホルダは、カッタコードが巻回されたスプールと、前記スプールを収容するケースを備えていてもよい。前記カッタコードは、ナイロン系の樹脂からなってもよく、扁平な断面形状を有していてもよい。前記カッタコードは、前記カッタコードの断面の長手方向が前記スプールの回転軸と略平行となるように、前記スプールに巻回されていてもよい。前記ケースは、前記スプールから引き出された前記カッタコードを前記ケースの外部へ送り出すアイレットを備えていてもよい。前記カッタコードは、前記カッタコードの前記断面の前記長手方向が前記スプールの前記回転軸に対して捩れた角度となるように、前記アイレットから送り出されてもよい。
【０００６】
本明細書は作業機も開示する。前記作業機は、コードホルダと、前記コードホルダを回転させる原動機を備えていてもよい。前記コードホルダは、カッタコードが巻回されたスプールと、前記スプールを収容するケースを備えていてもよい。前記カッタコードは、ナイロン系の樹脂からなってもよく、扁平な断面形状を有していてもよい。前記カッタコードは、前記カッタコードの断面の長手方向が前記スプールの回転軸と略平行となるように、前記スプールに巻回されていてもよい。前記ケースは、前記スプールから引き出された前記カッタコードを前記ケースの外部へ送り出すアイレットを備えていてもよい。前記カッタコードは、前記カッタコードの前記断面の前記長手方向が前記スプールの前記回転軸に対して捩れた角度となるように、前記アイレットから送り出されてもよい。
【０００７】
上記の構成によれば、スプールから引き出されて、アイレットを介してケースの外部に送り出されたカッタコードは、カッタコードの断面の長手方向がカッタコードの回転方向と合うように保持される。このような構成とすることによって、カッタコードを回転させるために消費するエネルギーを低減することができるとともに、カッタコードが回転する際の騒音を抑制することができる。
【図面の簡単な説明】
【０００８】
【図１】実施例に係る刈払機２を示す斜視図である。
【図２】実施例に係る刈払機２の前端ユニット６の縦断面図である。
【図３】実施例に係る刈払機２のカッタコード２２の斜視図である。
【図４】実施例に係る刈払機２のカッタコード２２の断面図である。
【図５】実施例に係るコードホルダ１８の上側ケース６０の斜視図である。
【図６】実施例に係るコードホルダ１８の下側ケース６２の斜視図である。
【図７】実施例に係るコードホルダ１８のアイレット５４，５５の構造を示す横断面図である。
【図８】変形例に係るコードホルダ１８のアイレット５４，５５の構造を示す横断面図である。
【発明を実施するための形態】
【０００９】
以下では、本発明の代表的かつ非限定的な具体例について、図面を参照して詳細に説明する。この詳細な説明は、本発明の好ましい例を実施するための詳細を当業者に示すことを単純に意図しており、本発明の範囲を限定することを意図したものではない。また、以下に開示される追加的な特徴ならびに発明は、さらに改善されたコードホルダや作業機、それらの製造方法及び使用方法を提供するために、他の特徴や発明とは別に、又は共に用いることができる。
【００１０】
また、以下の詳細な説明で開示される特徴や工程の組み合わせは、最も広い意味において本発明を実施する際に必須のものではなく、特に本発明の代表的な具体例を説明するためにのみ記載されるものである。さらに、上記及び下記の代表的な具体例の様々な特徴、ならびに、独立及び従属クレームに記載されるものの様々な特徴は、本発明の追加的かつ有用な実施形態を提供するにあたって、ここに記載される具体例のとおりに、あるいは列挙された順番のとおりに組合せなければならないものではない。
【００１１】
本明細書及び／又は特許請求の範囲に記載された全ての特徴は、実施例及び／又はクレームに記載された特徴の構成とは別に、出願当初の開示ならびにクレームされた特定事項に対する限定として、個別に、かつ互いに独立して開示されることを意図するものである。さらに、全ての数値範囲及びグループ又は集団に関する記載は、出願当初の開示ならびにクレームされた特定事項に対する限定として、それらの中間の構成を開示する意図を持ってなされている。
【００１２】
１またはそれ以上の実施形態において、コードホルダは、カッタコードが巻回されたスプールと、前記スプールを収容するケースを備えていてもよい。前記カッタコードは、ナイロン系の樹脂からなってもよく、扁平な断面形状を有していてもよい。前記カッタコードは、前記カッタコードの断面の長手方向が前記スプールの回転軸と略平行となるように、前記スプールに巻回されていてもよい。前記ケースは、前記スプールから引き出された前記カッタコードを前記ケースの外部へ送り出すアイレットを備えていてもよい。前記カッタコードは、前記カッタコードの前記断面の前記長手方向が前記スプールの前記回転軸に対して捩れた角度となるように、前記アイレットから送り出されてもよい。
【００１３】
上記の構成によれば、スプールから引き出されて、アイレットを介してケースの外部に送り出されたカッタコードは、カッタコードの断面の長手方向がカッタコードの回転方向と合うように保持される。このような構成とすることによって、カッタコードを回転させるために消費するエネルギーを低減することができるとともに、カッタコードが回転する際の騒音を抑制することができる。
【００１４】
１またはそれ以上の実施形態において、前記カッタコードは、前記スプールに対して、すでに巻回されている前記カッタコードの上に、新たに巻回される前記カッタコードが重なるように、一列に重ねて巻回されていてもよい。
【００１５】
ナイロン系の樹脂からなるカッタコードにおいては、スプールに対して、すでに巻回されているカッタコードと、新たに巻回されるカッタコードをずらして、複数列となるように巻回すると、カッタコードに捩れ癖がついてしまうことがある。カッタコードに捩れ癖がついてしまうと、ケースの外部に送り出されたカッタコードのうち、アイレットに近い部分と、アイレットから遠い部分で、カッタコードの断面の長手方向が異なる方向となってしまい、カッタコードの回転に伴うエネルギー消費の増加や騒音の増大を招いてしまう。上記のように、カッタコードをスプールに一列に重ねて巻回する構成とすることで、カッタコードに捩れ癖がついてしまうことを防止することができる。
【００１６】
１またはそれ以上の実施形態において、前記ケースは、第１ケースと、第２ケースを備えていてもよい。前記第１ケースは、切り欠きを有していてもよい。前記第２ケースは、突起を有していてもよい。前記アイレットの形状は、前記切り欠きと前記突起によって規定されていてもよい。
【００１７】
上記の構成によれば、第１ケースから第２ケースを取り外した状態で、スプールから引き出したカッタコードを第１ケースの切り欠きにセットし、その後に第１ケースに第２ケースを組み付けることで、スプールから引き出されたカッタコードをアイレットにセットすることができる。スプールから引き出されたカッタコードを、アイレットに容易にセットすることができる。また、上記の構成によれば、第１ケースの切り欠きにセットされたカッタコードが、第２ケースの突起によって抑えられるので、カッタコードが第１ケースと第２ケースの隙間に入り込んでアイレットから外れてしまうことを防止することができる。
【００１８】
１またはそれ以上の実施形態において、前記突起の高さは調整可能であってもよい。
【００１９】
上記の構成によれば、異なる断面形状のカッタコードを用いる場合であっても、カッタコードの断面形状に合わせて突起の高さを調整することで、カッタコードの断面形状に応じたアイレットの形状とすることができる。
【００２０】
１またはそれ以上の実施形態において、前記第１ケースは、前記第１ケースに対して着脱可能であって、前記切り欠きが形成されたガイド部材を有していてもよい。
【００２１】
上記の構成によれば、異なる断面形状のカッタコードを用いる場合であっても、カッタコードの断面形状に合わせたガイド部材に取り換えることで、カッタコードの断面形状に応じたアイレットの形状とすることができる。
【００２２】
１またはそれ以上の実施形態において、前記切り欠きは、前記カッタコードを、前記カッタコードの前記断面の前記長手方向が前記スプールの前記回転軸に対して捩れた角度で配置可能な拡幅部と、前記第１ケースの縁部と前記拡幅部の間に配置されており、前記カッタコードを、前記カッタコードの前記断面の前記長手方向が前記スプールの前記回転軸に対して捩れた角度で配置不能な狭幅部を備えていてもよい。
【００２３】
上記の構成では、スプールから引き出されたカッタコードを、捩らずにそのまま第１ケースの縁部から切り欠きに差し入れ、狭幅部を通過させた後、拡幅部で捩ることによって、カッタコードを切り欠きにセットすることができる。捩られた状態のカッタコードは、拡幅部から狭幅部に入り込むことができないので、カッタコードを切り欠きにセットした状態を維持することができる。
【００２４】
１またはそれ以上の実施形態において、前記カッタコードの前記断面の、短手方向の寸法に対する前記長手方向の寸法の比率は、１．２以上であってもよい。
【００２５】
上記の構成によれば、カッタコードを回転させるために消費するエネルギーを低減することができるとともに、カッタコードが回転する際の騒音を抑制することができる。
【００２６】
１またはそれ以上の実施形態において、前記アイレットは、前記カッタコードの前記断面の前記長手方向が前記スプールの前記回転軸に対して略平行となるように、前記スプールから引き出された前記カッタコードを保持するコード保持部を備えていてもよい。
【００２７】
カッタコードを使用しないまま、スプールから引き出されたカッタコードを捩れた角度で長時間保持していると、カッタコードに捩れ癖がついてしまうおそれがある。上記の構成によれば、カッタコードを使用しない時には、スプールから引き出されたカッタコードを、コード保持部を利用して捩らない状態で保持することができるので、カッタコードに捩れ癖がついてしまうことを防止することができる。
【００２８】
１またはそれ以上の実施形態において、作業機は、コードホルダと、前記コードホルダを回転させる原動機を備えていてもよい。前記コードホルダは、カッタコードが巻回されたスプールと、前記スプールを収容するケースを備えていてもよい。前記カッタコードは、ナイロン系の樹脂からなってもよく、扁平な断面形状を有していてもよい。前記カッタコードは、前記カッタコードの断面の長手方向が前記スプールの回転軸と略平行となるように、前記スプールに巻回されていてもよい。前記ケースは、前記スプールから引き出された前記カッタコードを前記ケースの外部へ送り出すアイレットを備えていてもよい。前記カッタコードは、前記カッタコードの前記断面の前記長手方向が前記スプールの前記回転軸に対して捩れた角度となるように、前記アイレットから送り出されてもよい。
【００２９】
上記の構成によれば、スプールから引き出されて、アイレットを介してケースの外部に送り出されたカッタコードは、カッタコードの断面の長手方向がカッタコードの回転方向と合うように保持される。このような構成とすることによって、カッタコードを回転させるために消費するエネルギーを低減することができるとともに、カッタコードが回転する際の騒音を抑制することができる。
【００３０】
１またはそれ以上の実施形態において、前記原動機はモータであってもよい。
【００３１】
一般的に、エンジンを原動機とする作業機では、エンジンからの騒音が大きいので、カッタコードからの騒音は作業機の静粛性にそれほど影響しない。しかしながら、モータを原動機とする作業機では、モータからの騒音はそれほど大きくないので、カッタコードからの騒音が作業機の静粛性に大きな影響を及ぼす。上記の構成によれば、カッタコードからの騒音を抑制することができるので、作業機の静粛性をより高めることができる。
【００３２】
１またはそれ以上の実施形態において、前記作業機は、前記作業機に着脱可能であり、前記モータに電力を供給するバッテリパックをさらに備えていてもよい。
【００３３】
バッテリパックを電源とする作業機においては、電力消費が大きいと、バッテリパックを充電することなく連続して作業可能な時間が短くなってしまう。上記の構成によれば、カッタコードの回転に伴う電力消費を抑制することができるので、バッテリパックを充電することなく連続して作業可能な時間を長くすることができる。
【００３４】
（実施例）
以下では図面を参照しながら、作業機の一実施形態に係る刈払機２について説明する。図１に示す刈払機２は、園芸用の電動作業機であって、草木を刈り払うために用いられる。刈払機２は、支持棹４と、支持棹４の前端４ａに設けられた前端ユニット６と、支持棹４の後端４ｂに設けられた後端ユニット８と、支持棹４の中間部に設けられたループハンドル１０と、支持棹４のループハンドル１０と後端ユニット８の間に設けられたグリップ１２を備えている。支持棹４は、中空のパイプ状であって、前端４ａから後端４ｂまで直線状に伸びている。
【００３５】
前端ユニット６は、モータ１４（図２参照）を収容するモータハウジング１６と、モータハウジング１６の下方に着脱可能に取り付けられたコードホルダ１８と、モータハウジング１６およびコードホルダ１８よりも後方で支持棹４に取り付けられた安全カバー２０を備えている。モータ１４は、アウタロータ型のブラシレス三相モータである。コードホルダ１８は、モータ１４によって回転駆動される。コードホルダ１８は、紐状のカッタコード２２，２３を保持している。カッタコード２２，２３の先端は、コードホルダ１８から引き出されており、コードホルダ１８とともに回転する。本実施例の刈払機２は、高速で周回するカッタコード２２，２３によって草木を切断する。
【００３６】
ループハンドル１０は、中空のパイプ状であって、支持棹４の上方および側方に膨らむループ形状に形成されている。ループハンドル１０は、支持棹４に固定されている。
【００３７】
グリップ１２は、支持棹４の外周を覆うように形成されている。グリップ１２は、上面に設けられたロックオフレバー２４と、下面に設けられたトリガスイッチ２６を備えている。トリガスイッチ２６は前端ユニット６のモータ１４を駆動させるためのスイッチである。トリガスイッチ２６が押し込まれていない状態では、モータ１４への電力の供給が遮断されている。トリガスイッチ２６が押し込まれた状態では、モータ１４へ電力が供給される。ロックオフレバー２４は、トリガスイッチ２６の押し込み操作の規制および規制の解除を行うためのレバーである。ロックオフレバー２４が押し込まれていない状態では、トリガスイッチ２６の押し込み操作が規制される。ロックオフレバー２４が押し込まれた状態では、トリガスイッチ２６の押し込み操作の規制が解除される。
【００３８】
グリップ１２の上面の、ロックオフレバー２４よりも前方側には、操作パネル２８と表示パネル３０が設けられている。操作パネル２８には図示しない操作基板が収容されている。操作基板には、前端ユニット６のモータ１４の駆動を制御するための図示しない操作ボタンが配設されている。作業者は、操作ボタンを操作することで、モータ１４の駆動および停止の切り換え、モータ１４の回転方向の切り換え、およびモータ１４の回転速度の変更等の操作を行うことができる。表示パネル３０には図示しない表示基板が収容されている。表示基板には、モータ１４の動作状態を表示する図示しない表示ランプが取り付けられている。
【００３９】
後端ユニット８は、図示しない制御基板が収容された後端ハウジング３２と、後端ハウジング３２に着脱可能に取り付けられたバッテリパック３４を備えている。バッテリパック３４は、複数の再充電可能なバッテリセルを有している。バッテリパック３４は、例えば、直列に接続された１０本のリチウムイオンバッテリセルを有しており、３６ボルトの公称電圧を有している。制御基板は、バッテリパック３４からモータ１４に供給される電力を制御することで、モータ１４の動作を制御する。
【００４０】
刈払機２を使用する作業者は、一方の手でループハンドル１０を把持し、他方の手でグリップ１２を把持する。そして、作業者は、グリップ１２を把持した手の親指の付け根でロックオフレバー２４を押し込み操作し、同じ手の人差し指、中指、薬指および／または小指でトリガスイッチ２６を押し込み操作する。これによって、モータ１４へ電力が供給される。この状態で、作業者は、グリップ１２を把持した手の親指で操作パネル２８の操作ボタンを操作することで、モータ１４の動作を制御することができる。
【００４１】
図２に示すように、モータ１４の出力シャフト４２は、上端がベアリング４４を介してモータハウジング１６に支持されており、下端がコードホルダ１８に連結している。出力シャフト４２を介してモータ１４の回転がコードホルダ１８に伝達する。
【００４２】
コードホルダ１８は、ケース５０と、ケース５０に収容されたスプール５２を備えている。ケース５０は、出力シャフト４２に固定されている。スプール５２の回転軸は、出力シャフト４２の回転軸に一致している。スプール５２には、カッタコード２２，２３が巻回されている。カッタコード２２，２３は、ケース５０に設けられたアイレット５４，５５を介してケース５０の外部に引き出されている。
【００４３】
図３、図４を参照して、カッタコード２２，２３の形状について説明する。カッタコード２２，２３は、例えばＰＡ６等のナイロン樹脂からなり、例えば押出成形や射出成形によって製造される。カッタコード２２，２３は、カッタコード２２，２３の中心線ＣＬに直交する面ＯＰで見た時に、長手方向の寸法Ｗ１が短手方向の寸法Ｈ１よりも大きい扁平な断面形状を有している。具体的には、カッタコード２２，２３は、長手方向の寸法Ｗ１の、短手方向の寸法Ｈ１に対する比率が、例えば１．２以上であり、好ましくは１．５以上である。例えば、カッタコード２２，２３の長手方向の寸法Ｗ１は４ｍｍであり、短手方向の寸法Ｈ１は３ｍｍである。カッタコード２２，２３がこのような扁平な断面形状を有している場合、断面の長手方向をカッタコード２２，２３の回転の方向に合わせることで、カッタコード２２，２３が回転する際の空気抵抗を低減することができ、カッタコード２２，２３を回転させるために消費するエネルギーを低減することができる。また、断面の長手方向をカッタコード２２，２３の回転の方向に合わせることで、カッタコード２２，２３が回転する際の風切り音が小さくなり、騒音を抑制することができる。なお、図３、図４に示す例では、カッタコード２２，２３は、カッタコード２２，２３の中心線に直交する面で見た時に、長手方向に長径を有し、短手方向に短径を有する楕円形の断面形状を有しているが、これとは異なる断面形状、例えば、角丸長方形の断面形状であってもよいし、長円形の断面形状であってもよいし、その他のオーバル形または多角形の断面形状であってもよい。いずれの場合も、長手方向の寸法Ｗ１が短手方向の寸法Ｈ１よりも小さい断面形状であれば、扁平な断面形状ということができる。
【００４４】
図２に示すように、カッタコード２２，２３は、断面の長手方向がスプール５２の回転軸に沿う方向となるように、スプール５２に巻回されている。本実施例では、スプール５２の上部にカッタコード２２が巻回されており、スプール５２の下部にカッタコード２３が巻回されている。カッタコード２２はスプール５２に対して、すでに巻回されているカッタコード２２の上に、新たに巻回されるカッタコード２２が完全に重なるように、同じ位置で一列に重ねて巻回されている。同様に、カッタコード２３はスプール５２に対して、すでに巻回されているカッタコード２３の上に、新たに巻回されるカッタコード２３が完全に重なるように、同じ位置で一列に重ねて巻回されている。このようにカッタコード２２，２３をスプール５２に巻回した場合、スプール５２に巻回された状態で長時間が経過しても、カッタコード２２，２３に捩れ癖がつかない。
【００４５】
スプール５２から引き出されたカッタコード２２は、アイレット５４において、断面の長手方向がカッタコード２２の回転方向に略平行となるように捩られた状態で、ケース５０の外部に引き出されている。スプール５２からカッタコード２３は、アイレット５５において、断面の長手方向が、カッタコード２３が回転する方向に略平行となるように捩られた状態で、ケース５０の外部に引き出されている。カッタコード２２，２３には捩れ癖がついていないので、このようにアイレット５４，５５においてカッタコード２２，２３を引き出すことによって、外部に引き出されたカッタコード２２，２３の全体にわたって、断面の長手方向がカッタコード２２，２３の回転方向に沿うように、カッタコード２２，２３を保持することができる。
【００４６】
スプール５２は、コード送出ボタン５６に固定されている。コード送出ボタン５６は、ケース５０の下面に形成された貫通孔５０ａを介して、ケース５０の下方に突出している。コード送出ボタン５６は、通常時はスプリング５８によって下方に付勢されており、スプール５２がケース５０に押し付けられることで、スプール５２はケース５０に対して回転不能となっている。このため、出力シャフト４２が回転すると、ケース５０とスプール５２は一体的に回転する。コードホルダ１８が回転する状態で、コード送出ボタン５６が押されると、ケース５０からスプール５２が離間し、スプール５２はケース５０に対して回転可能となる。このとき、コードホルダ１８から伸びるカッタコード２２，２３に作用する遠心力により、スプール５２に巻かれたカッタコード２２，２３が送出される。なお、図１に示すように、安全カバー２０には、トリムカッター２０ａが一体に設けられている。トリムカッター２０ａは、コードホルダ１８から余分に送り出されたカッタコード２２，２３の先端を切断し、コードホルダ１８から伸びるカッタコード２２，２３を適切な長さにトリムする。
【００４７】
ケース５０は、図５に示す上側ケース６０と、図６に示す下側ケース６２を備えている。図５に示すように、上側ケース６０には、アイレット５４に対応する位置に、切り欠き６４が形成されている。切り欠き６４は、上側ケース６０の縁部から伸びる通路部６４ａと、通路部６４ａに連通する窓部６４ｂを備えている。また、上側ケース６０の切り欠き６４には、ガイド部材６６が着脱可能に取り付けられている。ガイド部材６６には、切り欠き６８が形成されている。切り欠き６８は、ガイド部材６６の縁部から伸びる通路部６８ａと、通路部６８ａに連通するガイド部６８ｂを備えている。通路部６８ａには、周方向の両側の側面から突出する係合突起６８ｃが形成されている。係合突起６８ｃの間隔は、カッタコード２２の断面の長手方向の寸法よりも小さく、カッタコード２２の断面の短手方向の寸法よりもわずかに大きい。ガイド部６８ｂの左右方向の寸法は、カッタコード２２の断面の長手方向の寸法よりもわずかに大きい。カッタコード２２をガイド部材６６にセットする際には、スプール５２から引き出したカッタコード２２を、捩ることなくそのまま通路部６２ａ、６８ａに差し入れて、係合突起６８ｃの間を通過させた後に、ガイド部６８ｂでカッタコード２２を９０度捩る。これによって、ガイド部６８ｂにカッタコード２２がセットされる。なお、図５には示されていないが、上側ケース６０のアイレット５５に対応する位置には、切り欠き６４と同様の形状の切り欠き６５が形成されている。切り欠き６５には、ガイド部材６６と同様の形状のガイド部材６７（図２参照）が着脱可能に取り付けられている。
【００４８】
図６に示すように、下側ケース６２には、アイレット５４、５５に対応する位置に、突起部材７０、７１が固定されている。突起部材７０は、下側ケース６２を上側ケース６０に取り付けた時に、上側ケース６０の通路部６２ａ、６８ａに入り込む形状を有している。突起部材７１も、突起部材７０と同様の形状を有している。
【００４９】
図７に示すように、下側ケース６２を上側ケース６０に取り付けた状態では、アイレット５４，５５において、ガイド部材６６，６７がカッタコード２２，２３を上方および側方から取り囲むとともに、突起部材７０，７１がカッタコード２２，２３を下方から押し上げる。これによって、アイレット５４，５５を通過するカッタコード２２，２３を、断面の長手方向がカッタコード２２，２３の回転方向に略平行となるように、捩った状態で保持することができる。なお、ガイド部材６６，６７のガイド部６８ｂ，６９ｂの上面から突起部材７０，７１の上端までの上下方向の間隔を、カッタコード２２，２３の短手方向の寸法よりも小さくすることで、ガイド部材６６，６７と突起部材７０，７１によってカッタコード２２，２３を潰した状態で保持することもできる。
【００５０】
図８に示すように、ガイド部材６６，６７の切り欠き６８，６９に、カッタコード２２，２３を使用しない場合にカッタコード２２，２３を保持しておくためのコード保持部６８ｄ，６９ｄを形成してもよい。コード保持部６８ｄ，６９ｄは、カッタコード２２，２３の断面の長手方向が、スプール５２の回転軸と略平行とした状態で、カッタコード２２，２３を保持する形状を有している。刈払機２やコードホルダ１８を長期間使用しないで保管しておく際に、スプール５２から引き出されたカッタコード２２，２３をコード保持部６８ｄ，６９ｄで保持しておくことによって、カッタコード２２，２３に捩れ癖がついてしまうことを防止することができる。
【００５１】
下側ケース６２に対する突起部材７０，７１の上端の位置を調整可能としてもよい。例えば、突起部材７０，７１を下側ケース６２に上下方向に移動可能に保持して、突起部材７０，７１をばね等の弾性部材によって上方に向けて付勢する構成としてもよい。あるいは、突起部材７０，７１を下側ケース６２に上下方向に移動可能に保持して、調整ネジ等の調整部材によって下側ケース６２の上下方向の位置を調整する構成としてもよい。
【００５２】
上記の実施例では、上側ケース６０に切り欠き６８，６９を有するガイド部材６６，６７が設けられており、下側ケース６２に突起部材７０，７１が設けられている構成について説明した。これとは異なり、下側ケース６２に切り欠き６８，６９を有するガイド部材６６，６７を設けて、上側ケース６０に突起部材７０，７１を設ける構成としてもよい。
【００５３】
上記の実施例では、刈払機２が、バッテリパック３４から供給される電力によってモータ１４を駆動する構成について説明した。これとは異なり、刈払機２は、バッテリパック３４の代わりに、電源コードから供給される電力によってモータ１４を駆動する構成としてもよい。
【００５４】
上記の実施例では、刈払機２が、コードホルダ１８を回転させる原動機としてモータ１４を備える構成について説明した。これとは異なり、刈払機２は、コードホルダ１８を回転させる原動機として、エンジンを備える構成としてもよい。
【００５５】
上記の実施例では、作業機の例として刈払機２について説明したが、作業機は、例えば車輪を有する草刈機や芝刈機等、他の種類の作業機であってもよい。
【００５６】
以上のように、１またはそれ以上の実施形態において、コードホルダ１８は、カッタコード２２，２３が巻回されたスプール５２と、スプール５２を収容するケース５０を備えている。カッタコード２２，２３は、ナイロン系の樹脂からなり、扁平な断面形状を有している。カッタコード２２，２３は、カッタコード２２，２３の断面の長手方向がスプール５２の回転軸と略平行となるように、スプール５２に巻回されている。ケース５０は、スプール５２から引き出されたカッタコード２２，２３をケース５０の外部へ送り出すアイレット５４，５５を備えている。カッタコード２２，２３は、カッタコード２２，２３の断面の長手方向がスプール５２の回転軸に対して捩れた角度となるように、アイレット５４，５５から送り出されている。
【００５７】
上記の構成によれば、スプール５２から引き出されて、アイレット５４，５５を介してケース５０の外部に送り出されたカッタコード２２，２３は、カッタコード２２，２３の断面の長手方向がカッタコード２２，２３の回転方向と合うように保持される。このような構成とすることによって、カッタコード２２，２３を回転させるために消費するエネルギーを低減することができるとともに、カッタコード２２，２３が回転する際の騒音を抑制することができる。
【００５８】
１またはそれ以上の実施形態において、カッタコード２２，２３は、スプール５２に対して、すでに巻回されているカッタコード２２，２３の上に、新たに巻回されるカッタコード２２，２３が重なるように、一列に重ねて巻回されている。
【００５９】
ナイロン系の樹脂からなるカッタコード２２，２３においては、スプール５２に対して、すでに巻回されているカッタコード２２，２３と、新たに巻回されるカッタコード２２，２３をずらして、複数列となるように巻回すると、カッタコード２２，２３に捩れ癖がついてしまうことがある。カッタコード２２，２３に捩れ癖がついてしまうと、ケース５０の外部に送り出されたカッタコード２２，２３のうち、アイレット５４，５５に近い部分と、アイレット５４，５５から遠い部分で、カッタコード２２，２３の断面の長手方向が異なる方向となってしまい、カッタコード２２，２３の回転に伴うエネルギー消費の増加や騒音の増大を招いてしまう。上記のように、カッタコード２２，２３をスプール５２に一列に重ねて巻回する構成とすることで、カッタコード２２，２３に捩れ癖がついてしまうことを防止することができる。
【００６０】
１またはそれ以上の実施形態において、ケース５０は、上側ケース６０（第１ケースの例）と、下側ケース６２（第２ケースの例）を備えていてもよい。上側ケース６０は、切り欠き６８，６９を有するガイド部材６６，６７を備えている。下側ケース６２は、突起部材７０，７１（突起の例）を有している。アイレット５４，５５の形状は、切り欠き６８，６９と突起部材７０，７１によって規定されている。
【００６１】
上記の構成によれば、上側ケース６０から下側ケース６２を取り外した状態で、スプール５２から引き出したカッタコード２２，２３を上側ケース６０の切り欠き６８，６９にセットし、その後に上側ケース６０に下側ケース６２を組み付けることで、スプール５２から引き出されたカッタコード２２，２３をアイレット５４，５５にセットすることができる。スプール５２から引き出されたカッタコード２２，２３を、アイレット５４，５５に容易にセットすることができる。また、上記の構成によれば、上側ケース６０の切り欠き６８，６９にセットされたカッタコード２２，２３が、下側ケース６２の突起部材７０，７１によって抑えられるので、カッタコード２２，２３が上側ケース６０と下側ケース６２の隙間に入り込んでアイレット５４，５５から外れてしまうことを防止することができる。
【００６２】
１またはそれ以上の実施形態において、突起部材７０，７１の高さは調整可能である。
【００６３】
上記の構成によれば、異なる断面形状のカッタコード２２，２３を用いる場合であっても、カッタコード２２，２３の断面形状に合わせて突起部材７０，７１の高さを調整することで、カッタコード２２，２３の断面形状に応じたアイレット５４，５５の形状とすることができる。
【００６４】
１またはそれ以上の実施形態において、上側ケース６０は、上側ケース６０に対して着脱可能であって、切り欠き６８，６９が形成されたガイド部材６６，６７を有している。
【００６５】
上記の構成によれば、異なる断面形状のカッタコード２２，２３を用いる場合であっても、カッタコード２２，２３の断面形状に合わせたガイド部材６６，６７に取り換えることで、カッタコード２２，２３の断面形状に応じたアイレット５４，５５の形状とすることができる。
【００６６】
１またはそれ以上の実施形態において、切り欠き６８，６９は、カッタコード２２，２３を、カッタコード２２，２３の断面の長手方向がスプール５２の回転軸に対して捩れた角度で配置可能なガイド部６８ｂ，６９ｂ（拡幅部の例）と、上側ケース６０の縁部とガイド部６８ｂ，６９ｂの間に配置されており、カッタコード２２，２３を、カッタコード２２，２３の断面の長手方向がスプール５２の回転軸に対して捩れた角度で配置不能な係合突起６８ｃの間の領域（狭幅部の例）を備えている。
【００６７】
上記の構成では、スプール５２から引き出されたカッタコード２２，２３を、捩らずにそのまま上側ケース６０の縁部から切り欠き６８，６９に差し入れ、係合突起６８ｃの間を通過させた後、ガイド部６８ｂ，６９ｂで捩ることによって、カッタコード２２，２３を切り欠き６８，６９にセットすることができる。捩られた状態のカッタコード２２，２３は、ガイド部６８ｂ，６９ｂから係合突起６８ｃの間に入り込むことができないので、カッタコード２２，２３を切り欠き６８，６９にセットした状態を維持することができる。
【００６８】
１またはそれ以上の実施形態において、カッタコード２２，２３の断面の、短手方向の寸法に対する長手方向の寸法の比率は、１．２以上である。
【００６９】
上記の構成によれば、カッタコード２２，２３を回転させるために消費するエネルギーを低減することができるとともに、カッタコード２２，２３が回転する際の騒音を抑制することができる。
【００７０】
１またはそれ以上の実施形態において、アイレット５４，５５は、カッタコード２２，２３の断面の長手方向がスプール５２の回転軸に対して略平行となるように、スプール５２から引き出されたカッタコード２２，２３を保持するコード保持部６８ｄ，６９ｄを備えている。
【００７１】
カッタコード２２，２３を使用しないまま、スプール５２から引き出されたカッタコード２２，２３を捩れた角度で長時間保持していると、カッタコード２２，２３に捩れ癖がついてしまうおそれがある。上記の構成によれば、カッタコード２２，２３を使用しない時には、スプール５２から引き出されたカッタコード２２，２３を、コード保持部６８ｄ，６９ｄを利用して捩らない状態で保持することができるので、カッタコード２２，２３に捩れ癖がついてしまうことを防止することができる。
【００７２】
１またはそれ以上の実施形態において、刈払機２（作業機の例）は、コードホルダ１８と、コードホルダ１８を回転させるモータ１４（原動機の例）を備えている。コードホルダ１８は、カッタコード２２，２３が巻回されたスプール５２と、スプール５２を収容するケース５０を備えている。カッタコード２２，２３は、ナイロン系の樹脂からなり、扁平な断面形状を有している。カッタコード２２，２３は、カッタコード２２，２３の断面の長手方向がスプール５２の回転軸と略平行となるように、スプール５２に巻回されている。ケース５０は、スプール５２から引き出されたカッタコード２２，２３をケース５０の外部へ送り出すアイレット５４，５５を備えている。カッタコード２２，２３は、カッタコード２２，２３の断面の長手方向がスプール５２の回転軸に対して捩れた角度となるように、アイレット５４，５５から送り出されている。
【００７３】
上記の構成によれば、スプール５２から引き出されて、アイレット５４，５５を介してケース５０の外部に送り出されたカッタコード２２，２３は、カッタコード２２，２３の断面の長手方向がカッタコード２２，２３の回転方向と合うように保持される。このような構成とすることによって、カッタコード２２，２３を回転させるために消費するエネルギーを低減することができるとともに、カッタコード２２，２３が回転する際の騒音を抑制することができる。
【００７４】
１またはそれ以上の実施形態において、コードホルダ１８を回転させる原動機は、モータ１４である。
【００７５】
一般的に、エンジンを原動機とする作業機では、エンジンからの騒音が大きいので、カッタコード２２，２３からの騒音は作業機の静粛性にそれほど影響しない。しかしながら、モータ１４を原動機とする刈払機２では、モータ１４からの騒音はそれほど大きくないので、カッタコード２２，２３からの騒音が刈払機２の静粛性に大きな影響を及ぼす。上記の構成によれば、カッタコード２２，２３からの騒音を抑制することができるので、刈払機２の静粛性をより高めることができる。
【００７６】
１またはそれ以上の実施形態において、刈払機２は、刈払機２に着脱可能であり、モータ１４に電力を供給するバッテリパック３４をさらに備えている。
【００７７】
バッテリパック３４を電源とする刈払機２においては、電力消費が大きいと、バッテリパック３４を充電することなく連続して作業可能な時間が短くなってしまう。上記の構成によれば、カッタコード２２，２３の回転に伴う電力消費を抑制することができるので、バッテリパック３４を充電することなく連続して作業可能な時間を長くすることができる。
【符号の説明】
【００７８】
２      ：刈払機
４      ：支持棹
４ａ    ：前端
４ｂ    ：後端
６      ：前端ユニット
８      ：後端ユニット
１０    ：ループハンドル
１２    ：グリップ
１４    ：モータ
１６    ：モータハウジング
１８    ：コードホルダ
２０    ：安全カバー
２０ａ  ：トリムカッター
２２    ：カッタコード
２３    ：カッタコード
２４    ：ロックオフレバー
２６    ：トリガスイッチ
２８    ：操作パネル
３０    ：表示パネル
３２    ：後端ハウジング
３４    ：バッテリパック
４２    ：出力シャフト
４４    ：ベアリング
５０    ：ケース
５０ａ  ：貫通孔
５２    ：スプール
５４    ：アイレット
５５    ：アイレット
５６    ：コード送出ボタン
５８    ：スプリング
６０    ：上側ケース
６２    ：下側ケース
６２ａ  ：通路部
６４    ：切り欠き
６４ａ  ：通路部
６４ｂ  ：窓部
６５    ：切り欠き
６６    ：ガイド部材
６７    ：ガイド部材
６８    ：切り欠き
６８ａ  ：通路部
６８ｂ  ：ガイド部
６８ｃ  ：係合突起
６８ｄ  ：コード保持部
６９    ：切り欠き
６９ｂ  ：ガイド部
６９ｄ  ：コード保持部
７０    ：突起部材
７１    ：突起部材
【図１】
2020150902.tif 000003
【図２】
2020150902.tif 000004
【図３】
2020150902.tif 000005
【図４】
2020150902.tif 000006
【図５】
2020150902.tif 000007
【図６】
2020150902.tif 000008
【図７】
2020150902.tif 000009
【図８】
2020150902.tif 000010